(57)【要約】【課題】予め組み立てておき、貫通孔内に上方から挿入するだけで防火対策を講ずることができる防火断熱用具を提供する。【解決手段】防火断熱用具１は、金属製の基部２と、基部２上に取り付ける防火材３と、この防火材３を基部２との間に挟み込んで固定する蓋部４とから構成されている。基部２は、底円板部２ａと、この底円板部２ａから立設する軸部２ｂとから構成されており、複数の防火層部３ａ及び蓋円板部４ａをそれぞれ軸部２ｂに挿通させた後に、ナット２ｄを軸部２ｂのねじ溝２ｃに螺合する。  組み立てた防火断熱用具１を、建物の上下階を結ぶ貫通孔に上方から挿入して固定することで、簡便に貫通孔内に防火断熱用具１を充填することができると共に、貫通孔内から引き上げることで簡便に除去することができる。【選択図】図１
2019199913.tif 000002
【特許請求の範囲】
【請求項１】
基部と、該基部上に取り付けると共に圧縮性を有し、中央に孔部を有する円柱状の防火材とから構成される防火断熱用具であって、
前記基部は、円形の底円板部と、該底円板部の中心から垂直状に立設し上端部にねじ溝を有する軸部とから成り、
前記軸部に前記防火材を挿通し、前記軸部のねじ溝にナットを螺合して固定したことを特徴とする防火断熱用具。
【請求項２】
前記基部と共働して前記防火材を挟み込む蓋部を備え、該蓋部は中央に前記軸部を挿通する通孔を設け、前記底円板部の径よりも大径で円形の蓋円板部から成ることを特徴とする請求項１に記載の防火断熱用具。
【請求項３】
前記ナットの前記軸部に対する螺合の深さにより、前記底円板部と前記蓋円板部との間隙を可変とすることを特徴とする請求項２に記載の防火断熱用具。
【請求項４】
前記蓋円板部は下方に向けて複数個の取付片を周縁に付設していることを特徴とする請求項２又は３に記載の防火断熱用具。
【請求項５】
前記防火材は、耐火性、不燃性を有する防火部材を保形化した複数枚の防火層部を積層したことを特徴とする請求項１〜４の何れか１項に記載の防火断熱用具
【発明の詳細な説明】
【技術分野】
【０００１】
本発明は、建物内の例えば電気配線用ダクトなどを貫通孔を閉塞するための防火断熱用具に関するものである。
【背景技術】
【０００２】
鉄骨構造の建造物では、建物の上下階を結ぶダクト等の貫通孔を設けて、電線、配管などを通している。また、建築後に配線、配管を行うことがあるために、予め貫通孔を用意しておくこともある。しかし、火災などに際しては、空の貫通孔を通じて上階に火災が延焼し易くなるので、使用していない貫通孔であっても、内部に防火材を充填して閉塞しておく必要がある。
【０００３】
このような使用していない貫通孔の場合には、天井側にある貫通孔の底部を鉄板等により仮固定して閉塞し、貫通孔の上方の床側から防火性を有するロックウール材を充填して延焼を防止する対策を講ずることがある。
【０００４】
そして、ロックウール材を充填した貫通孔に対して、後日に配線、配管を施工する際には、仮固定した天井の鉄板を取り外し、充填したロークウール材を取り除いて配線、配管を行うことになる。
【０００５】
例えば特許文献１には、貫通孔を塞ぐ防火断熱材が開示されている。
【先行技術文献】
【特許文献】
【０００６】
【特許文献１】特許第３９１０５１２号公報
【発明の概要】
【発明が解決しようとする課題】
【０００７】
しかし、特許文献１の防火断熱材は主に横方向に設けられた貫通孔に対するものであり、上下階の貫通孔に使用することは考慮されていない。更に、特許文献１の防火断熱材は、貫通孔ごとに取付作業を必要とし、数組のボルト、ナットを螺合しながら施工するので時間が掛かる。
【０００８】
また、上述の天井側を鉄板等で閉塞し、ロークウール材を充填する構造では、天井側に鉄板を取り付け、取り外すための作業が面倒である。更には、天井側に鉄板を取り付けた後のロックウール材の充填作業、天井側から鉄板を取り外した際に落下したロックウール材の清掃作業等が発生し、処理が厄介である。
【０００９】
本発明の目的は、上述の課題を解決し、予め組み立てておき、貫通孔内に上方から挿入するだけで防火対策を講ずることができる防火断熱用具を提供することにある。
【課題を解決するための手段】
【００１０】
上記目的を達成するための本発明に係る防火断熱用具は、基部と、該基部上に取り付けると共に圧縮性を有し、中央に孔部を有する円柱状の防火材とから構成される防火断熱用具であって、前記基部は、円形の底円板部と、該底円板部の中心から垂直状に立設し上端部にねじ溝を有する軸部とから成り、前記軸部に前記防火材を挿通し、前記軸部のねじ溝にナットを螺合して固定したことを特徴とする。
【発明の効果】
【００１１】
本発明に係る防火断熱用具によれば、予め組み立てた状態で、貫通孔内に挿し込むことにより、簡便に貫通孔内の防火部材を充填することができると共に、貫通孔内から引き上げることで簡便に貫通孔内から除去することができる。
【図面の簡単な説明】
【００１２】
【図１】防火断熱用具の分解斜視図である。
【図２】防火断熱用具の斜視図である。
【図３】貫通孔の説明図である。
【図４】貫通孔内に防火断熱用具を装填した状態の説明図である。
【発明を実施するための形態】
【００１３】
本発明を図示の実施例に基づいて詳細に説明する。
図１は防火断熱用具１の分解斜視図、図２は斜視図である。
【００１４】
防火断熱用具１は、金属製の基部２と、基部２上に取り付ける円柱状の防火材３と、この防火材３を基部２との間に挟み込んで固定する金属製の蓋部４とから構成されている。
【００１５】
基部２は、底円板部２ａと、この底円板部２ａの中心から垂直状に立設する軸部２ｂとから構成されている。軸部２ｂの上端部にはねじ溝２ｃが形成されており、このねじ溝２ｃにナット２ｄを螺合するようにされている。
【００１６】
防火材３は、耐火性、不燃性を有する防火部材、例えば圧縮性を有するロックウール材をマット状に保形化した複数枚の防火層部３ａを積層したものである。円形状の防火層部３ａの中央には、軸部２ｂを挿通するための孔部３ｂが設けられており、孔部３ｂの内径は、軸部２ｂの直径とほぼ同径とされている。
【００１７】
蓋部４は、円形の蓋円板部４ａと、この蓋円板部４ａの周縁部から下方に向けて付設された例えば２個の取付片４ｂとから構成されている。蓋円板部４ａの中央には通孔４ｃが穿けられ、各取付片４ｂにはビス孔４ｄが穿けられている。
【００１８】
この防火断熱用具１の大きさは、装填すべき貫通孔の内径を例えば２１ｃｍとすると、底円板部２ａの径は２０ｃｍであって貫通孔の径よりも小さく、蓋円板部４ａの径は２３ｃｍであって貫通孔の径よりも大きくされている。また、防火層部３ａの外径は底円板部２ａの径とほぼ同等とされ、厚みは例えば１枚当り厚さ５ｃｍ程度とされ、５層に積層され、高さは貫通孔の深さとほぼ同等の例えば２５ｃｍ程度とされている。
【００１９】
防火断熱用具１の組立に際しては、基部２の軸部２ｂを、防火材３である例えば５枚の防火層部３ａの孔部３ｂに挿通する。次いで、これらの防火層部３ａ上に蓋部４の蓋円板部４ａを載置し、軸部２ｂを通孔４ｃに挿通し、蓋円板部４ａに付設した取付片４ｂが防火材３の外側を囲むように配置する。更に、防火材３を底円板部２ａと共働して蓋円板部４ａにより押圧することにより、防火層部３ａを圧縮して高さを調整し、ナット２ｄを軸部２ｂのねじ溝２ｃに螺合して組立てを完了する。
【００２０】
なお、ナット２ｄの螺合の深さにより、防火材３の厚み、つまり防火断熱用具１の底円板部２ａと蓋円板部４ａ間の可変の間隔を調整し、この間隔を使用すべき貫通孔の深さと同等にしておくことが好ましい。また、必要に応じて、露出した軸部２ｂの上端部に、合成樹脂製のキャップを被着してもよい。
【００２１】
図３は貫通孔の説明図であり、例えば貫通孔Ｈは建物の床面に相当する床板Ｔ上に金属製の円筒体Ｅを載置し、その周囲にコンクリートＣを打設して製作する。コンクリートＣを円筒体Ｅの周囲に打設する際に、円筒体Ｅの上縁はコンクリートＣ上に露出するようにする。
【００２２】
そして、貫通孔Ｈの底部に相当する床板Ｔには、上下階に通ずる配線、配管を施工可能にするように、貫通孔Ｈの内径よりも小さい円形の布設孔Ｓが穿設される。このようにすることで、円筒体Ｅを用いて貫通孔Ｈが形成される。なお、布設孔Ｓの内径は底円板部２ａの外径よりも小さくされている。
【００２３】
このような貫通孔Ｈに対し、配線、配管を施工する場合には、布設孔Ｓに配線、配管を通して使用する。また、貫通孔Ｈを配線等の施工に使用しない場合には、防火断熱用具１を貫通孔Ｈ内に充填して防火対策を施す。
【００２４】
図４は組み立てた防火断熱用具１を、貫通孔Ｈに上方から挿入した状態の説明図である。基部２の底円板部２ａは貫通孔Ｈの内径よりも小径とされ、布設孔Ｓの内径よりも大径とされているので、防火断熱用具１の底円板部２ａが貫通孔Ｈの底部に達しても、布設孔Ｓから抜け落ちることはない。また、蓋部４の蓋円板部４ａの外径は、貫通孔Ｈの内径よりも大径であるので、蓋円板部４ａが貫通孔Ｈ内に入り込むことはない。
【００２５】
従って、貫通孔Ｈ内に挿入された防火断熱用具１は、蓋円板部４ａが貫通孔Ｈの開口を覆うことになり、取付片４ｂは貫通孔Ｈつまり円筒体Ｅの上縁の外側に位置し、位置決めがなされる。
【００２６】
防火断熱用具１の底円板部２ａと蓋円板部４ａの上下方向の間隔は、貫通孔Ｈの深さと略一致することが好適ではあるが、仮に底円板部２ａと蓋円板部４ａの間隔が貫通孔Ｈの深さに達しない場合であっても、蓋円板部４ａは円筒体Ｅの上縁に係止される。一方、底円板部２ａと蓋円板部４ａの間隔が貫通孔Ｈの深さよりも大きい場合には、底円板部２ａが布設孔Ｓの周囲の床板Ｔに係止され、防火断熱用具１はそれ以上に挿入されることはない。
【００２７】
何れの場合においても、蓋部４の複数個の取付片４ｂは円筒体Ｅの上縁の周囲に配置されるので、取付片４ｂのビス孔４ｄにねじ付ビス５を挿し込み、電動ドライバによってビス５を円筒体Ｅの上縁に捩じ込むことにより、防火断熱用具１は貫通孔Ｈに固定される。
【００２８】
また、防火断熱用具１に蓋部４を設けない構造にすることもできる。この場合は、基部２の軸部２ｂを、複数の防火層部３ａの孔部３ｂに挿通した後に、例えばワッシャを介してナット２ｄを軸部２ｂのねじ溝２ｃに螺合して組立てを完了する。ナット２ｄ、ワッシャは軸部２ｂから防火層部３ａが抜け出ないようにするためのものであり、防火断熱用具１は単に布設孔Ｓのある床板Ｔ上に載置するだけであって、円筒体Ｅの上縁に固定しなくともよい。
【００２９】
防火断熱用具１を取り外す際には、上述した固定作業と逆の作業を行い、防火断熱用具１を貫通孔Ｈから引き上げればよい。
【００３０】
このように、予め組み立てられた防火断熱用具１を使用することで、貫通孔内に挿し込むことにより、簡便に貫通孔内に防火部材を充填することができ、また貫通孔内から取り出すことも容易である。
【符号の説明】
【００３１】
１  防火断熱用具
２  基部
２ａ  底円板部
２ｂ  軸部
２ｃ  ねじ溝
２ｄ  ナット
３  防火材
３ａ  防火層部
３ｂ  孔部
４  蓋部
４ａ  蓋円板部
４ｂ  取付片
４ｃ  通孔
４ｄ  ビス孔
Ｅ  円筒体
Ｈ  貫通孔
【図１】
2019199913.tif 000003
【図２】
2019199913.tif 000004
【図３】
2019199913.tif 000005
【図４】
2019199913.tif 000006
【手続補正書】
【提出日】平成30年9月14日(2018.9.14)
【手続補正１】
【補正対象書類名】特許請求の範囲
【補正対象項目名】全文
【補正方法】変更
【補正の内容】
【特許請求の範囲】
【請求項１】
建物の貫通孔に挿入して使用する防火断熱用具であって、
円形の底円板部と、該底円板部の中心から垂直状に立設し上端部にねじ溝を有する軸部と、前記底円板部上に載置し圧縮性を有する円柱状の防火材と、該防火材上に載置した円形の蓋円板部とを備え、
前記防火材は１つの孔部のみを有し、該孔部は前記防火材の中央に設けられており、
前記蓋円板部は１つの通孔のみを有し、該通孔は前記蓋円板部の中央に設けられており、
前記防火材の前記孔部及び前記蓋円板部の前記通孔に前記軸部のみを挿通し、前記軸部のねじ溝にナットを螺合して固定したことを特徴とする防火断熱用具。
【請求項２】
前記蓋円板部は前記底円板部の径よりも大径としたことを特徴とする請求項１に記載の防火断熱用具。
【請求項３】
前記ナットの前記軸部に対する螺合の深さにより、前記底円板部と前記蓋円板部との間を可変とすることを特徴とする請求項２に記載の防火断熱用具。
【請求項４】
前記蓋円板部の周縁には、下方に向けて複数個の取付片を付設していることを特徴とする請求項２又は３に記載の防火断熱用具。
【請求項５】
前記防火材は、圧縮性、耐火性、不燃性を有する防火部材を保形化した複数枚の防火層部を積層したことを特徴とする請求項１〜４の何れか１項に記載の防火断熱用具。
【手続補正２】
【補正対象書類名】明細書
【補正対象項目名】００１０
【補正方法】変更
【補正の内容】
【００１０】
上記目的を達成するための本発明に係る防火断熱用具は、建物の貫通孔に挿入して使用する防火断熱用具であって、円形の底円板部と、該底円板部の中心から垂直状に立設し上端部にねじ溝を有する軸部と、前記底円板部上に載置し圧縮性を有する円柱状の防火材と、該防火材上に載置した円形の蓋円板部とを有し、前記防火材は１つの孔部のみを有し、該孔部は前記防火材の中央に設けられており、前記蓋円板部は１つの通孔のみを備え、該通孔は前記蓋円板部の中央に設けられており、前記防火材の前記孔部及び前記蓋円板部の前記通孔に前記軸部のみを挿通し、前記軸部のねじ溝にナットを螺合して固定したことを特徴とする。